(57)【要約】      （修正有）【課題】店での商品の販売促進が可能となるとともに、収納手段を顧客宛に配達する作業や、来店記念品の調達数の予測等の必要コストの計算と見積等の煩雑な作業を効率よく行う。【解決手段】折り畳んだ状態の千両箱（登録商標）を採用し、この千両箱を折り畳んだ状態１ａで、宅配便の送り先が印刷もしくは貼付可能で店の案内情報を備えた巻き紙案内状２を巻き付けて固定し、来客を希望する顧客宛に、直接配達や宅配便を用いて配達する。千両箱の配達を受けた顧客は、店（常設店舗でもよいが、特設会場等も店とする。）へ来客し、千両箱に所定の持ち帰り来店記念品（野菜、果実、菓子、日用品等）を詰めることができる程度まで詰め込み、収納して持ち帰ることができるようにする販売促方法に於ける、見積書の煩雑な作業を電子計算機により効率よく行い、特に来店記念品の調達数の予測等、店側の必要コストの計算を精度よく行う。【選択図】図１ａ
2018097827.tif 000002
【特許請求の範囲】
【請求項１】
顧客が持ち帰ることができる来店記念品を収納するための収納手段を、来客をしてほしい顧客宛に配達し、収納手段の配達を受けた顧客が店へ来客した際、収納手段に店側が用意した所定の持ち帰り来店記念品を収納して、持ち帰ることができるようにし、顧客の店への来客を案内促進する集客販売促進方法であって、
必要な作業を電子計算機により行うに際し、顧客宛に収納手段を配達する配達方法、配達に要する費用、配達する収納手段の単価、来店記念品の種類、配達送り先が印刷もしくは貼付可能なイベント案内手段の単価、前記収納手段及びイベント案内手段のそれぞれについての顧客への配達数量、顧客が持ち帰ることができる来店記念品の単価、をそれぞれ入力する入力ステップと、
顧客宛に収納手段を配達する方法及び来店記念品の種類毎に過去の来店顧客数を記憶したデータベースを用いて、前記入力ステップで特定された収納手段を配達する方法及び来店記念品の種類と顧客への配達数量を基にして来客予想率を計算する来客予想設定ステップと、
収納手段の配達数量に来客予想率を乗算して、顧客が持ち帰る来店記念品の予定必要数を計算する予定必要数計算ステップと、
上記ステップにより得られた情報を用いて、集客販売促進を行う店の集客に必要な必要コスト金額を計算し、店の必要コスト金額を、見積書として出力する出力ステップとを備え、
集客販売促進方法を行う店の集客に必要な必要コスト金額を電子計算機により計算するコスト計算ステップでは、入力ステップで入力された項目をもとに、
収納手段の単価に収納手段の顧客への配達数量を乗じて収納手段のコストを得、イベント案内手段の単価にイベント案内手段の顧客への配達数量を乗じてイベント案内手段のコストを得、
顧客が持ち帰ることができる来店記念品の単価に予定必要数を乗じて来店記念品のコストを得、配達に要する費用に配達数量を乗じて配達に要する費用を得、収納手段のコストと、イベント案内手段のコストと、来店記念品のコストと、配達に要する費用と、の総和を得るステップを含む、集客販売促進方法。
【請求項２】
前記顧客宛に収納手段を配達する方法と来店記念品の種類毎に過去の来店顧客数を記憶したデータベースは、季節条件を加えた過去の実績をビッグデータとして構築したデータベースである、請求項１に記載の集客販売促進方法。
【請求項３】
前記データベースを用いて、前記入力ステップで特定された収納手段を配達する方法及び来店記念品の種類と顧客への配達数量を基にして来客予想率を計算する来客予想設定ステップは、人工知能もしくはデープラーニングにより来客予想率を計算する来客予想設定ステップである、請求項１に記載の集客販売促進方法。
【発明の詳細な説明】
【技術分野】
【０００１】  本発明は、新聞の折込、直接配送や宅配便等を用いた集客販売促進方法に関し、顧客が持ち帰ることができる来店記念品を収納するための収納手段を、来客をしてほしい顧客宛に配達し、収納手段の配達を受けた顧客が店へ来客した際、収納手段に店で用意した所定の持ち帰り来店記念品を収納して持ち帰ることができるようにし、顧客の店への来客を案内促進し店での販売促進を行うに際し、必要な作業を電子計算機により行う集客販売促進方法に関するものである。
【背景技術】
【０００２】  宅配便、あるいはダイレクトメールなどを用いて商品の販売店への集客販売促進を案内、促進する集客販売促進方法は従来から存する。このような集客販売促進方法においては、来店率を高めるために、店への来客時に顧客に販売促進品、たとえば粗品、菓子等を無料で配布することが行われている。【０００３】  このような従来の集客販売促進方法に対して、近年は、顧客に斬新な印象と、興味を与えて集客率を高め、店での顧客の滞在時間を長くすることが可能な宅配便を用いた集客販売促進方法を提案され利用されている（特許文献１参照）。
【先行技術文献】
【０００４】
【特許文献１】特許第４６２６８３６号公報
【発明の概要】
【発明が解決しようとする課題】
【０００５】  特許文献１に記載するような集客販売促進方法においては、店への来客数も増加し、来店記念品の詰め込み等で店における滞在時間が長くなり、店での商品の販売が促進されるという利点があった。しかしながら、顧客宛に収納手段を配達する配達方法が多様化し、新聞の折り込を利用して配達する方法や、地域全体に配達業者を使って多量に配布する方法などが、宅急便以外の配達方法も利用されるようになり、顧客への配達数量が大量になってきている。このため顧客宛に収納手段を配達した数量に比して来客数のバラツキが大きくなり、単純な来客予想では来店記念品が大量に余ったり、不足が生じたりして集客販売促進に不具合が生じる問題があった。【０００６】  本発明は、集客販売促進方法における店での来店記念品の準備数の過不足を防止し、適切な顧客の来客予想率を得るようにし、無駄の生じることのない集客販売促進方法を提供する。
【課題を解決するための手段】
【０００７】  上記課題を解決するため、本発明の集客販売促進方法は、顧客が持ち帰ることができる来店記念品を収納するための収納手段を、来客を希望する顧客宛に配達し、収納手段の配達を受けた顧客が店へ来客した際、収納手段に店側が用意した所定の持ち帰り来店記念品を収納して、持ち帰ることができるようにし、顧客の店への来客を案内促進する集客販売促進方法であって、必要な作業を電子計算機により行うに際し、顧客宛に収納手段を配達する配達方法、配達に要する費用、配達する収納手段の単価、来店記念品の種類、配達送り先が印刷もしくは貼付可能なイベント案内手段の単価、前記収納手段及びイベント案内手段のそれぞれについての顧客への配達数量、顧客が持ち帰ることができる来店記念品の単価、をそれぞれ入力する入力ステップと、顧客宛に収納手段を配達する方法及び来店記念品の種類毎に過去の来店顧客数を記憶したデータベースを用いて、前記入力ステップで特定された収納手段を配達する方法及び来店記念品の種類と顧客への配達数量を基にして来客予想率を計算する来客予想設定ステップと、収納手段の配達数量に来客予想率を乗算して、顧客が持ち帰る来店記念品の予定必要数を計算する予定必要数計算ステップと、各ステップにより得られた情報を用いて、集客販売促進を行う店の集客に必要な必要コスト金額を計算し、店の必要コスト金額を、見積書として出力する出力ステップとを備え、集客販売促進方法を行う店の集客に必要な必要コスト金額を電子計算機により計算するコスト計算ステップでは、入力ステップで入力された項目をもとに、収納手段の単価に収納手段の顧客への配達数量を乗じて収納手段のコストを得、イベント案内手段の単価にイベント案内手段の顧客への配達数量を乗じてイベント案内手段のコストを得、顧客が持ち帰ることができる来店記念品の単価に予定必要数を乗じて来店記念品のコストを得、配達に要する費用に配達数量を乗じて配達に要する費用を得、収納手段のコストと、イベント案内手段のコストと、来店記念品のコストと、配達に要する費用と、の総和を得るステップを含む、手順構成となっている。【０００８】  なお、上記手順の中で販売促進を行うイベントの内容等が印刷もしくは貼付可能なイベント案内手段は、収納手段に直接印刷し、あるいは貼り付けて収納手段と一体になったものでも良い。収納手段は組み立て式の箱、ビニール袋、紙袋、巾着式の袋、布袋、木箱などが使用できる。【０００９】  顧客宛に収納手段を配達する方法としては、新聞の折り込みを利用する方法、配達業者を使って地域に多量に配布する方法、宅急便などが利用可能である。また、来店記念品の種類としては野菜、果実、菓子、日用品などが採用される。本発明の集客販売促進方法では、これらの異なる条件で集客数にバラツキが生じるので、顧客宛に収納手段を配達する方法と来店記念品の種類毎に過去の来店顧客数を記憶したデータベースを用いるが、このデータベースにさらに季節条件を加えた過去の実績をビッグデータとして構築したデータベースを用いることが有力である。【００１０】  データベースを用いて、前記入力ステップで特定された収納手段を配達する方法及び来店記念品の種類と顧客への配達数量を基にして来客予���率を計算する来客予想設定ステップでは、顧客宛に収納手段を配達する方法、来店記念品の種類、及び季節や地域で来客数が異なることが生じ、これらの条件の組み合わせは膨大となるので、人工知能やデープラーニングを使って来客予想率を計算する来客予想設定ステップを行うことが有力である。
【発明の効果】
【００１１】  本発明によれば、顧客が店で来店記念品を収納する作業が発生するため、顧客の店での滞在時間を長くすることが可能となる利点を活用する際に生じる、来店記念品の調達等における不具合や店側の不要なコストの発生を極力少なくすることが可能となるとともに、来客予想設定ステップにおける複雑な作業を電子計算機により精度よく行うことができる。
【図面の簡単な説明】
【００１２】
【図１】  （ａ）本発明の実施例における宅配便を用いて配達する収納手段にイベント案内手段である巻き紙案内状を巻き付けた状態の宅配物の正面図、（ｂ）本発明の同実施例の収納手段を組み立てた箱の斜視図である。
【図２】  本発明の実施例における宅配便を用いた集客販売促進方法の必要な作業を電子計算機により行うステップのフローチャート図である。
【図３】  （ａ）同実施例における個収納手段の個別単価の入力例を示す単価表、（ｂ）同巻き紙案内状の個別単価入力例を示す単価表である。
【発明を実施するための形態】
【実施例】
【００１３】  本発明の実施例を図１および図２、３により説明する。図１（ａ）は本発明の実施例における宅配便を用いて配達する収納手段にイベント案内手段である巻き紙案内状を巻き付けた状態の宅配物の正面図、（ｂ）は同実施例の収納手段を組み立てた箱の斜視図である。図２は同実施例の集客販売促進方法に必要な作業を電子計算機により行うステップのフローチャート図である。図３（ａ）、図３（ｂ）はそれぞれ同実施例における収納手段の個別単価の入力例を示す単価表、同巻き紙案内状の個別単価入力例を示す単価表である。【００１４】  本実施例における宅配便を用いた集客販売促進方法は、顧客が持ち帰ることができる来店記念品を収納するための収納手段として、組み立てると千両箱となる折り畳んだ状態のダンボール紙製の千両箱１を採用している。この千両箱１を折り畳んだ状態１ａとし、イベント案内手段としての巻き紙案内状２を、千両箱の折り畳んだ状態１ａに巻き付けて固定し、来客を希望する顧客宛に、配達業者から直接配布をし、あるいは宅配便（ゆうメールなども含むが以後総称して宅配便とする。）を用いて配達する。巻き紙案内状２には、宅配便の送り先、さらに店の地図とか売り出し期間、売り出し対象の商品等の案内情報が印刷され、あるいは貼り付けられている。巻き紙案内状２には、宅配便等の送り先が印刷されるが、地域全体の配布する場合や、新聞の折込を利用する場合には、不要である。もしくは貼付されていても良い。なお、千両箱１の配達を受けた顧客は、店（常設店舗でもよいが、特設会場等も店とする。）に来客する。顧客は、店や特設会場等において、千両箱１を組み立てて、店があらかじめ必要数を用意した所定の持ち帰り来店記念品（本実施例では、野菜、果実、菓子、キッチン用品、お掃除用品としている）を千両箱１に詰め放題に詰め込み、収納して持ち帰ることができるようにしている。所定の持ち帰り来店記念品は、本実施例以外では、焼き栗、装飾品、化粧品、みかん等を適宜選択し、用意する。【００１５】  来店記念品を収納するための収納手段は、折り畳んだ状態で宅配便などを用いて送られるので、記念品を直接送るより宅配便のコストが低減される。またさらに来店記念品を収納するための収納手段は、折りたたみ状態のビーニール袋や、紙箱、紙袋、布袋などでも良い。また折り畳んで厚さが２センチ以下とすると配達コストが低いが、箱をそのまま配達・発送しても良い。【００１６】  イベント案内手段としての巻き紙案内状２には、店の情報やイベントの情報などが印刷されるが、巻き紙の形でなく、イベント案内手段は、直接に収納手段である千両箱１に直印刷し、あるいは貼り付けても同封しても良い。宅配便の送り先は、必要により使用するが、地域に広く送る場合や、新聞の折込であれば不要な場合もある。巻き紙案内状２には、他にイベント会場・店の地図とか売り出し期間、売り出し対象の商品等の案内情報を備え、イベント案内手段としての役割を果たす。【００１７】  このような集客販売促進方法では、客は、店へ来客したとき、千両箱１に野菜、果実、菓子、日用品などを千両箱１が詰めることができる程度まで詰める作業が面白く、顧客の満足感を満たすことになり、店への来客を案内促進する��とができる。これにより、顧客のイベント会場や店での滞在時間が長くなり、店での商品の販売促進となる。【００１８】  このような宅配便を用いた集客販売促進方法では、顧客を集めようとする店が必要な千両箱、巻き紙案内状の手配、野菜、果実、菓子、日用品などの手配を行うのは煩雑な業務となるので、これらの業務を一括して集客販売促進を行う業者が行う。集客販売促進を行う業者は、必要な作業を電子計算機により行うことが作業効率を高めるために必要となる。また、顧客宛に収納手段を配達する配達方法が多様化し、新聞の折り込を利用して配達する方法や、地域全体に配達業者を使って多量に配布する方法などが、宅急便以外の配達方法も利用されるようになり、顧客への配達数量が大量になってきている。このため顧客宛に収納手段を配達した数量に比して来客数のバラツキが大きくなり、単純な来客予想では来店記念品が大量に余ったり、不足が生じたりして集客販売促進に不具合が生じるので、集客販売促進を行う業者は、来客予想を精度よく行う必要があり、これを電子計算機により行う。【００１９】  以下に図２を用いて、集客販売促進方法に必要な作業をプログラムにより実行する電子計算機により行うステップ（手順）を詳細に述べる。
集客販売促進方法に必要な作業をプログラムされた電子計算機により行う手順は、まず、必要な作業を電子計算機により行うに際し、顧客宛に収納手段としての千両箱１を配達する配達方法、配達に要する費用、配達する収納手段としての千両箱１の単価、来店記念品の種類、配達送り先が印刷もしくは貼付可能なイベント案内手段の単価、前記収納手段及びイベント案内手段のそれぞれについての顧客への配達数量、顧客が持ち帰ることができる来店記念品の単価、をそれぞれ入力する入力ステップ３が実行される。【００２０】  千両箱１の単価や巻き紙案内状２の単価は、配達見積数量によって異なる。従って、図３に示すように配達見積数量に応じて入力され、表形式で電子計算機が利用するデータベースに記憶される。もちろん、数量に依存しない単一の単価が入力されてもよい。また、単価には、印刷代や利益等が考慮され付加されていてもよいし、別途計算して付加されてもよい。【００２１】  次に、顧客宛に収納手段を配達する方法及び来店記念品の種類毎に過去の来店顧客数を記憶したデータベースを用いて、前記入力ステップ３で入力された収納手段を配達する方法及び来店記念品の種類と顧客への配達数量を基にして来客予想率を計算する来客予想設定ステップ４が実行される。顧客が店に来店する率は、一般的には案内状配達数の数パーセントと考えられているが、配達する先の顧客が、既に一度店で購買の実績がある場合と、そうでない場合では来客率が異なるとされている。また店が販売対象とする商品によっても異なる。従って、集客販売促進方法の実施当初においては、過去の従来方法を参考に所定の来客予想率が、初期値として入力される。しかし、集客販売促進方法の実施回数を重ねることにより、実績値が得られるので、この実績値をもとに、来客予想率は都度修正変更設定される。【００２２】顧客宛に収納手段を配達する方法としては、新聞の折り込みを利用する方法、配達業者を使って地域に多量に配布する方法、宅急便などが利用可能である。また、来店記念品の種類としては野菜、果実、菓子、日用品などが採用される。本発明の集客販売促進方法では、これらの異なる条件で集客数にバラツキが生じるので、顧客宛に収納手段を配達する方法と来店記念品の種類毎に過去の来店顧客数を記憶したデータベースを用いるが、このデータベースにさらに季節条件を加えた過去の実績をビッグデータとして構築したデータベースを用いることが有力である。【００２３】  データベース等を用いて、前記入力ステップ３で入力され特定された収納手段を配達する方法や来店記念品の種類と顧客への配達数量を基にして来客予想率を計算する来客予想設定ステップにおいては、顧客宛に収納手段を配達する方法や来店記念品の種類、また季節（春か夏か）や地域（関西と関東など）で来客数が異なる。これらの条件の組み合わせは膨大となるので、人工知能やデープラーニングを使って来客予想率を計算する来客予想設定ステップを行う。【００２４】  次に、収納手段の配達数量に来客予想率を乗算して、顧客が持ち帰る来店記念品の予定必要数を計算する予定必要数計算ステップ５が実行される。このステップでは、収納手段としての千両箱１の配達数量に来客予想設定ステップ４で���定した来客予想率とを乗算して、顧客が持ち帰る来店記念品の予定必要数を計算する。【００２５】  次に、各ステップにより得られた情報を用いて、集客販売促進を行う店の集客に必要な必要コスト金額を計算し、店の必要コスト金額を、見積書として出力する出力ステップ６を実行する。ここには、集客販売促進方法を行う店の集客に必要な前記必要コスト金額を電子計算機により計算するコスト計算ステップ７が含まれている。このコスト計算ステップ７では、入力ステップ３で入力された項目をもとに、収納手段の単価に収納手段の顧客への配達数量を乗じて収納手段のコストを得、イベント案内手段の単価にイベント案内手段の顧客への配達数量を乗じてイベント案内手段のコストを得、顧客が持ち帰ることができる来店記念品の単価に予定必要数を乗じて来店記念品のコストを得、配達に要する費用に配達数量を乗じて配達に要する費用を得、収納手段のコストと、イベント案内手段のコストと、来店記念品のコストと、配達に要する費用と、の総和を得るステップを含む、手順が実行される。このようにして得た情報を用いて、宅配便を用いた集客販売促進を行う店の必要コスト金額を計算し、店の必要コスト金額を、見積書として出力する出力ステップ６が実行される。【００２６】  このコスト計算ステップ７の場合、具体的には、入力ステップ３で入力された項目をもとに、千両箱１の単価に千両箱１の顧客への配達数量を乗じて千両箱１のコストを得、巻き紙案内状２の単価に巻き紙案内状２の顧客への配達数量を乗じて巻き紙案内状２のコストを得、顧客が持ち帰ることができる来店記念品の単価に予定必要数を乗じて来店記念品のコストを得、配達に要する費用に配達数量を乗じて配達に要する費用を得、収納手段のコストと、イベント案内手段のコストと（さらに千両箱１と巻き紙案内状２との組み付けのためのあらかじめ設定した作業手数料を合わせて入れておいても良い）、来店記念品のコストと、配達に要する費用と、の総和を得るステップ・手順が実行される。【００２７】  以上の各ステップや計算の電子計算機による実行は、あらかじめ設定されたプログラムにより実行されるが、基本的には、数値の入力や設定、加算と乗算等の演算であり、当業者が用意にプログラム可能なものであり、詳細プログラムの記述は省略する。
【産業上の利用可能性】
【００２８】    本発明は、従来の課題であった集客と販売促進の効果的な方法であり、住宅販売、車、宝石、着物などの高額商品を対象にする場合に効果的に使用可能である。
【符号の説明】
【００２９】１  千両箱、
２  巻き紙案内状、
３  入力ステップ、
４  来客予想設定ステップ、
５  顧客が持ち帰る来店記念品の予定必要数を計算する予定必要数計算ステップ、
６  店の必要コスト金額を、見積書として出力する出力ステップ、
７  集客販売促進を行う店の必要コスト金額の計算を電子計算機により計算する必要コスト計算ステップ。
【図１ａ】
2018097827.tif 000003
【図１ｂ】
2018097827.tif 000004
【図２】
2018097827.tif 000005
【図３】
2018097827.tif 000006
【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
顧客が持ち帰ることができる来店記念品を収納するための収納手段を、来客を希望する顧客宛に配達し、収納手段の配達を受けた顧客が店へ来客した際、収納手段に店側が用意した所定の持ち帰り来店記念品を収納して、持ち帰ることができるようにし、顧客の店への来客を案内促進する集客販売促進方法であって、
必要な作業を電子計算機により行うに際し、顧客宛に収納手段を配達する配達方法、配達に要する費用、配達する収納手段の単価、来店記念品の種類、配達送り先が印刷もしくは貼付可能なイベント案内手段の単価、前記収納手段及びイベント案内手段のそれぞれについての顧客への配達数量、顧客が持ち帰ることができる来店記念品の単価、をそれぞれ入力する入力ステップと、
前記電子計算機が、顧客宛に収納手段を配達する方法及び来店記念品の種類毎に過去の来店顧客数を記憶したデータベースを用いて、前記入力ステップで特定された収納手段を配達する方法及び来店記念品の種類と顧客への配達数量を基にして来客予想率を計算する来客予想設定ステップと、
前記電子計算機が、収納手段の配達数量に来客予想率を乗算して、顧客が持ち帰る来店記念品の予定必要数を計算する予定必要数計算ステップと、
前記電子計算機が、上記ステップにより得られた情報を用いて、集客販売促進を行う店の集客に必要な必要コスト金額を計算し、店の必要コスト金額を、見積書として出力する出力ステップとを備え、
集客販売促進方法を行う店の集客に必要な必要コスト金額を電子計算機により計算するコスト計算ステップでは、入力ステップで入力された項目をもとに、
収納手段の単価に収納手段の顧客への配達数量を乗じて収納手段のコストを得、イベント案内手段の単価にイベント案内手段の顧客への配達数量を乗じてイベント案内手段のコストを得、
顧客が持ち帰ることができる来店記念品の単価に予定必要数を乗じて来店記念品のコストを得、配達に要する費用に配達数量を乗じて配達に要する費用を得、収納手段のコストと、イベント案内手段のコストと、来店記念品のコストと、配達に要する費用と、の総和を得るステップを含む、集客販売促進方法。
【請求項２】
前記顧客宛に収納手段を配達する方法と来店記念品の種類毎に過去の来店顧客数を記憶したデータベースは、季節条件を加えた過去の実績をビッグデータとして構築したデータベースである、請求項１に記載の集客販売促進方法。
【請求項３】
前記データベースを用いて、前記入力ステップで特定された収納手段を配達する方法及び来店記念品の種類と顧客への配達数量を基にして来客予想率を計算する来客予想設定ステップは、人工知能もしくはデープラーニングにより来客予想率を計算する来客予想設定ステップである、請求項１に記載の集客販売促進方法。